(57)【要約】【課題】  本発明は、靴内の縦サイズと足長を計測することができる、小型の履物及び足の計測器を提供する。【解決手段】測定部の天井面、左側面、右側面のいずれか１面に把持部を設け、把持部を設けた面が接する測定部収納部の面に把持部が摺動可能な切欠き部を、正面に対向する背面方向から正面方向に設ける。測定部収納部の背面側に直方体形状の延長部を、それぞれの天井面同志、左側面同志、右側面同志、底面同志のいずれかを折り畳み部で接続する。測定部正面と、測定部収納部背面または延長部背面との間の距離で規定される長さを計測するために、測定部に短冊形状の正面位置引出し部を、測定部収納部または延長部に短冊形状の背面位置引出し部を設ける。【選択図】図１２
2014158648.tif 000002
【特許請求の範囲】
【請求項１】
数字と目盛を記載した直方体形状の測定部と、直方体形状の正面を開口して測定部を収納する測定部収納部から構成したことを特徴とする履物及び足の計測器。
【請求項２】
測定部の天井面、左側面、右側面のいずれか１面に把持部を設け、把持部を設けた面が接する測定部収納部の面に把持部が摺動可能な切欠き部を、前記正面に対向する背面方向から正面方向に設けたことを特徴とする、請求項１記載の履物及び足の計測器。
【請求項３】
測定部に弾性素材を用いたことを特徴とする、請求項１または２記載の履物及び足の計測器。
【請求項４】
測定部収納部の背面側に直方体形状の延長部を、それぞれの天井面同志、左側面同志、右側面同志、底面同志のいずれかを折り畳み部で接続したことを特徴とする、請求項１から３のいずれか１項に記載の履物及び足の計測器。
【請求項５】
測定部正面と、測定部収納部背面または延長部背面との間の距離で規定される長さを計測するために、測定部に短冊形状の正面位置引出し部を、測定部収納部または延長部に短冊形状の背面位置引出し部を設けたことを特徴とする、請求項１から４のいずれか１項に記載の履物及び足の計測器。
【請求項６】
正面位置引出し部及び背面位置引出し部を、折り畳み部で接続したことを特徴とする、請求項５記載の履物及び足の計測器。
【発明の詳細な説明】
【技術分野】
【０００１】  本発明は、靴内の縦サイズと足長を計測することができる、小型の履物及び足の計測器に関するものである。
【背景技術】
【０００２】  足に合った靴というのは、足長より１ｃｍから靴型によっては３ｃｍ程度の余裕分（捨て寸）が必要であり、この捨て寸の空間によって趾の先が靴に当たらないようになっているので、靴合わせには捨て寸を調べることが重要である。【０００３】  靴のサイズ表示には２種類あり、足入れサイズと靴型サイズがある。【０００４】  足入れサイズは、靴のサイズ表示に１ｃｍから靴型によっては３ｃｍ程度の余裕分（捨て寸）が加えられており、靴のサイズ表示と同じ足長のサイズの人が履けば、趾先と靴の先端に捨て寸の余裕空間があり、趾先があたらず足に合った靴であるというサイズ表示法である。つまり、靴のサイズ表示よりも実際の靴内の縦サイズは長い。例えば、靴のサイズ表示が２６ｃｍだと、実際の靴内の縦サイズは、２６ｃｍ＋（１〜３）ｃｍ＝（２７〜２９）ｃｍで、実際の靴内の縦サイズは２７〜２９ｃｍ程度ある。捨て寸は、靴の形状によって様々に設定されており、靴のトウがロングノーズやトウが上がっているものは、かなり長い捨て寸を設定していて３ｃｍ以上の捨て寸を設定している場合もある。つまり、捨て寸の長さは様々に変わり画一的でなく、その分だけ靴のサイズ表示と実際の靴内の縦サイズは違っている。【０００５】  靴型サイズは、靴のサイズ表示がそのまま実際の靴内の縦サイズである。例えば、靴のサイズ表示が２６ｃｍだと実際の靴内の縦サイズも２６〜２６．５ｃｍ程度で、実寸の足長が２６ｃｍの人が履くと、趾先に余裕のない、きつい靴になる。【０００６】  靴を購入する際はサイズ表示を見て判断するのだが、サイズ表示を見ただけでは、その靴が足入れサイズか、靴型サイズか、判断することができない。【０００７】  また、正確な自分の足長を把握している人は意外に少なく、今まで自分が履いてきた靴のサイズを基準にして、それが自分の実寸の足長と思っている人が多い。自分自身が主張しているサイズを自称サイズと言い、実寸の足長と自称サイズの不一致が非常に多い。【０００８】  前記したように、靴のサイズ表示が足入れサイズと、靴型サイズで、靴内の縦サイズが大きく違ってくる。今まで履いていた靴をサイズの基準とすると、履く靴によって捨て寸の採り方が様々に違っているので、実寸の足長との差異がそのつど違い、自称足長サイズと実際の足長サイズが合わない場合が多くなる。顧客の足長を計測せずに言われるままのサイズで靴を選んでしまうと、足に合う靴を提供することが難しい。靴の基準、足長の基準、の両基準が曖昧なので、靴選びが大変困難である。【０００９】  そこで、靴内の縦サイズを計測するために、靴の内側の計測装置が提案されている（特許文献１参照）。また、足長を計測するためには、ノギス形式のフットゲージが使用されている（非特許文献１参照）。
【先行技術文献】
【特許文献】
【００１０】
【特許文献１】特公平０５−０８８４０１
【非特許文献】
【００１１】
【非特許文献１】「ｗｗｗ．ｆｈａ．ｇｒ．ｊｐ／ｓｈｏｅ／ｃａｔａｌｏｇｕｅ．ｈｔｍｌ」（ＦＨＡ足と靴と健康協議会〜測定用具・書籍カタログ）フットゲージ
【発明の概要】
【発明が解決しようとする課題】
【００１２】  靴販売において足に合った靴を顧客に提供するには、まず、顧客の正確な足長を計測し、靴内の縦サイズを計測し、足長と靴内の縦サイズの関係を比較することが重要なので、双方のサイズ計測は必須である。  また、靴販売においては、様々な顧客の足に、多種の靴を合わせなければならないので計測する機会は多く、接客時にわざわざ計測器を取りに行く手間を掛けず、計測器を携帯してすぐに使用できる事が望ましい。【００１３】  しかし、前記特許文献１の計測器は携帯するには大きいので、常に持ち運ぶことができず、計測の度に計測器を取りに行かなければならない。また、前記特許文献１の計測器は、靴内の縦サイズは計測できるが、足長を計測できないので、足長の計測器をまた別に用意しなければならない。【００１４】  また、前記非特許文献１の計測器も携帯するには大きいので、常に持ち運ぶことができず、計測の度に計測器を取りに行かなければならない。また、前記非特許文献１の計測器は、足長の計測はできるが、靴内の縦サイズを計測できないので、靴内の縦サイズの計測器を、また別に用意しなければならない。
【課題を解決するための手段】
【００１５】  本発明の履物及び足の計測器は、前記課題を解決するために次のような構成を採用する。  ＜構成１＞  数字と目盛を記載した直方体形状の測定部と、直方体形状の正面を開口して測定部を収納する測定部収納部から構成したことを特徴とする。【００１６】  ＜構成２＞  測定部の天井面、左側面、右側面のいずれか１面に把持部を設け、把持部を設けた面が接する測定部収納部の面に把持部が摺動可能な切欠き部を、前記正面に対向する背面方向から正面方向に設けたことを特徴とする。【００１７】  ＜構成３＞  測定部に弾性素材を用いたことを特徴とする。【００１８】  ＜構成４＞  測定部収納部の背面側に直方体形状の延長部を、それぞれの天井面同志、左側面同志、右側面同志、底面同志のいずれかを折り畳み部で接続したことを特徴とする。【００１９】  ＜構成５＞  測定部正面と、測定部収納部背面または延長部背面との間の距離で規定される長さを計測するために、測定部に短冊形状の正面位置引出し部を、測定部収納部または延長部に短冊形状の背面位置引出し部を設けたことを特徴とする。【００２０】  ＜構成６＞  正面位置引出し部及び背面位置引出し部を、折り畳み部で接続したことを特徴とする。
【発明の効果】
【００２１】  前記の構成とすることにより、本発明の履物及び足の計測器には次の効果がある。  １つの計測器で靴内の縦サイズと足長を正確に計測できるため、従来のように靴内の縦サイズと足長、それぞれの計測器を取り替えながら計測する煩雑さがなく便利である。【００２２】  コンパクトに収納し、ポケットに差し込んで常に持ち運ぶことができるので、必要な時にすぐに使えて便利である。【００２３】  顧客に対して、足長及び靴内の縦サイズの測定結果から靴先と趾先の位置関係や捨て寸の長さを視覚的に示すことができるため、顧客の要望に最適な靴を提供することが可能になる。
【図面の簡単な説明】
【００２４】
【図１】本発明の請求項１及び請求項２に係る発明の斜視図
【図２】本発明の請求項１及び請求項２に係る発明の別の実施形態の斜視図
【図３】本発明の請求項４に係る発明の斜視図
【図４】本発明の請求項４に係る発明の別の実施形態の斜視図
【図５】本発明の請求項５に係る発明の斜視図
【図６】本発明の請求項５に係る発明の別の実施形態の斜視図
【図７】本発明の請求項５に係る発明の別の実施形態の斜視図
【図８】本発明の請求項５に係る発明の別の実施形態の斜視図
【図９】本発明の請求項６に係る発明の斜視図
【図１０】本発明の請求項６に係る発明の別の実施形態の斜視図
【図１１】本発明の請求項６に係る発明の別の実施形態の斜視図
【図１２】本発明の請求項６に係る発明の別の実施形態の斜視図
【図１３】本発明の請求項１及び２に係る発明の使用状態を説明する図
【図１４】本発明の請求項１及び２に係る発明の使用状態を説明する図
【図１５】本発明の請求項３に係る発明の使用状態を説明する図
【図１６】本発明の請求項３に係る発明の使用状態を説明する図
【図１７】本発明の請求項３に係る発明の使用状態を説明する図
【図１８】本発明の請求項４に係る発明の使用状態を説明する図
【図１９】本発明の請求項５及び６に係る発明の使用状態を説明する平面図
【図２０】本発明の請求項５及び６に係る発明の使用状態を説明する平面図
【図２１】本発明の請求項５及び６に係る発明の使用状態を説明する側面図
【図２２】本発明の請求項６に係る発明を用いて靴内を計測した状態を説明する図
【図２３】本発明の請求項６に係る発明を用いて足長を計測した状態を説明する図
【図２４】本発明の請求項６に係る発明の背面位置引出し部の折り畳み部の拡大図
【図２５】本発明の請求項６に係る発明の正面位置引出し部の折り畳み部の拡大図
【発明を実施するための形態】
【００２５】  以下、本発明を、図面を用いて詳細に説明する。しかしながら、発明を実施するための形態及び図面は、本発明を説明するためのものであり、本発明の範囲を限定するものではない。本発明の範囲は請求の範囲によってのみ定まる。複数の図面における同一の符号は、同一または相当部分を示す。  実施例１は構成１及び２に、実施例２は構成３に、実施例３は構成４に、実施例４は構成５及び６に対応する。
【実施例１】
【００２６】  構成１及び２を図１、２、１３及び１４を用いて説明する。図１及び２に示すように構成１は測定部１と測定部収納部２から構成される。測定部収納部２の正面を開口し、測定部１が測定部収納部２に収納される構造を持つので測定部１が伸縮する。【００２７】  図１３に示すように測定部収納部２の背面に計測物の端を合わせる。図１３には示していないが測定部１を伸ばしながら計測物の逆端に合わせる事で、数字１ａ、目盛１ｂを用いて長さが計測できる。なお数字１ａ、目盛１ｂの詳細は段落番号００５６及び００５７で説明する。【００２８】  前記のように測定部１が測定部収納部２に収納されるので、コンパクトになり持ち運びがしやすくかつ狭い靴内への出し入れがしやすくなる。【００２９】  構成２は、図１及び２に示すように構成１に加えて測定部１に把持部１ｃを設け、把持部１ｃの接する測定部収納部２の面に、切欠き部２ａを設けている。【００３０】  図１は、把持部１ｃを左側面に設けた図である。また図２は、構成２の別の形態として、把持部１ｃを天井面に設けた図である。【００３１】  図１４に示すように把持部１ｃを切欠き部２ａに沿って摺動させる。切欠き部２ａを測定部収納部２の背面から正面方向に設けているが、測定部収納部２の正面まで設けていないので把持部１ｃが止まり、測定部１と測定部収納部２の分離を防いでいる。【００３２】  測定部１を伸縮するためには、測定部１を直接指でつかんで行うが、把持部１ｃを設けることで、狭い場所での伸縮が指でつかんで行うよりも容易になる。把持部１ｃを設けていない構成１では、図１３に示すように狭い靴の中で測定部１を伸縮することは困難な場合がある。  しかし把持部１ｃを設けた構成２であれば、図１４に示すように把持部１ｃを指で軽く押さえながら、押し出すことにより、簡単に測定部１が靴先まで伸びる。
【実施例２】
【００３３】  構成３は、測定部１に弾性素材を用いたものである。図は設けていないが、ゴムが最良の形態である。測定部１に力が加わっていない状態では直線を計測でき、力を加えるにつれて測定部１が緩やかに湾曲するので、湾曲した形状の物も計測ができる。【００３４】  靴内の縦サイズはインソールの長さであり、足長とインソールの長さを比較する事で、縦のサイズの関係が分かる。カップインソールであれば、靴外に取り出しインソールの長さを計測できるが、それ以外は靴の中に計測器を入れてインソールの長さを計測する。【００３５】  図１５〜１７は爪先の上がった靴のインソールの長さを計測する場合の図である。図１５に示すように本発明の履物及び足の計測器を靴内に入れて測定部１を伸縮する際、図１６に示すような測定部１が硬い素材の場合、爪先が上がった靴だとインソールも湾曲しているので、測定部１が底に引っかかる。【００３６】  しかし構成３であれば測定部１に弾性素材を用いることにより、図１７に示すように爪先が上がった靴でも、トウスプリングに沿って測定部１が湾曲するので、インソールを計測することができる。
【実施例３】
【００３７】  構成４を図３、４及び１８を用いて説明する。構成４は、測定部収納部２の背面側に直方体形状の延長部３を延長部の折り畳み部４で接続している。接続位置は、それぞれの天井同志、左側面同志、右側面同志、底面同志と４パターンある。図３は構成１に延長部３を延長部の折り畳み部４で接続した図であり、図４は構成２のうち把持部１ｃを左側面に設けた図１に、延長部３を延長部の折り畳み部４で接続した図である。測定部収納部２と延長部３が、延長部の折り畳み部４の位置で屈曲する構造になっている。【００３８】  図１８に示すように、インソールの長さを計測するために、本発明の履物及び足の計測器を靴の中に入れ、測定部収納部２をインソール上に置き、延長部３の背面を靴の踵に合わせて、把持部１ｃを軽く押さえながら測定部１が止まる位置まで伸ばしていく。【００３９】  測定部１の止まった位置がインソールの長さであるが、突っ張った状態なので靴の外に取り出してサイズ表示を見ることができない。しかし、図１８に示すように、把持部１ｃを動かないように軽く押さえながら、本発明の履物及び足の計測器を持ち上げつつ延長部３を屈曲させることで、靴の外に取り出してサイズ表示を見ることができる。
【実施例４】
【００４０】  構成５を図５〜８及び１９〜２１を用いて説明する。構成５は、測定部１正面に短冊形状の正面位置引出し部５を、測定部収納部２の背面、または、延長部３の背面に短冊形状の背面位置引出し部６を設けることによって、正面位置引出し部５と背面位置引出し部６間の距離で規定される長さを計測する。【００４１】  図５は、構成１に正面位置引出し部５と背面位置引出し部６を設けた図である。測定部１正面に正面位置引出し部５を、測定部収納部２の背面に背面位置引出し部６を設けている。  図６は、構成２のうち把持部１ｃを左側面に設けた図１に、正面位置引出し部５と背面位置引出し部６を設けた図である。【００４２】  図５及び６は、背面位置引出し部６を測定部収納部２の背面に設けた図である。【００４３】  図７は、構成４のうち測定部収納部２に延長部３を接続した図３に、正面位置引出し部５と背面位置引出し部６を設けた図である。図８は、構成４のうち把持部１ｃを左側面に設け、測定部収納部２に延長部３を接続した図４に、正面位置引出し部５と背面位置引出し部６を設けた図である。【００４４】  図７及び８は、背面位置引出し部６を延長部３の背面に設けた図である。【００４５】  図１９〜２１は足長を計測する場合の図である。図１９の使用状態を表す平面図に示すように、正面位置引出し部５と背面位置引出し部６を設けていない場合、足長である足先点と踵点の２点間を目分量で計測しているため、誤差が生じやすい。【００４６】  しかし構成５であれば正面位置引出し部５と背面位置引出し部６を設けることにより、図２０の使用状態を表す平面図に示すように足長である足先点を正面位置引出し部５に当て、踵点に背面位置引出し部６を当てることによって、図１９に示すように目分量で計測するよりも正確に計測することができる。【００４７】  図２１の使用状態を表す側面図に示すように、外踝の下辺りに本発明の履物及び足の計測器を平行に添え、正面位置引出し部５を足先点に直角に当て、背面位置引出し部６を踵点に直角に当てることにより、２点間を計測する。【００４８】  正面位置引出し部５及び背面位置引出し部６を、計測する２点に当てる又は直近に持って行くことにより、２点間の距離を目分量で特定するよりも正確に特定することができる。【００４９】  構成６を図９〜１２及び２４、２５を用いて説明する。構成６は、正面位置引出し部５に正面位置引出し部の折り畳み部７を、背面位置引出し部６に背面位置引出し部の折り畳み部８を設けている。正面位置引出し部の折り畳み部７及び背面位置引出し部の折り畳み部８は、ボルトとナットの組み合わせが最良の形態である。【００５０】  図９は、構成５のうち測定部１正面に正面位置引出し部５を、測定部収納部２の背面に背面位置引出し部６を設けた図５に、正面位置引出し部の折り畳み部７と背面位置引出し部の折り畳み部８を設けた図である。  図１０は、構成５のうち把持部１ｃを左側面に設け、測定部１正面に正面位置引出し部５を、測定部収納部２の背面に背面位置引出し部６を設けた図６に、正面位置引出し部の折り畳み部７と背面位置引出し部の折り畳み部８を設けた図である。  図１１は、構成５のうち測定部収納部２に延長部３を接続し、測定部１正面��正面位置引出し部５を、延長部３の背面に背面位置引出し部６を設けた図７に、正面位置引出し部の折り畳み部７と背面位置引出し部の折り畳み部８を設けた図である。  図１２は、構成５のうち把持部１ｃを左側面に設け、測定部収納部２に延長部３を接続し、測定部１正面に正面位置引出し部５を、延長部３の背面に背面位置引出し部６を設けた図８に、正面位置引出し部の折り畳み部７と背面位置引出し部の折り畳み部８を設けた図である。【００５１】  図２４は、背面位置引出し部の折り畳み部８の拡大図である。背面位置引出し部６に、ａとｂが同じ長さとなるような略正方形部を設ける。略正方形部の中心を支点として背面位置引出し部６が回転するように、背面位置引出し部の折り畳み部８を設ける。図ではネジを表しているが、回転可能であればネジに限定する必要はない。図は背面位置引出し部６のｂと平行に設けたｄが測定部収納部２に接した、背面位置引出し部６が折り畳まれた状態を示している。  この状態からｄを左方向に９０度回転させると、図は設けていないがｄがｃの、ｃがｂの、ｂがａの位置へと左方向に９０度回転する。計測物の端を表す位置をｃの代わりにｄで表すことが出来る。【００５２】  図２５は、正面位置引出し部の折り畳み部７の拡大図である。正面位置引出し部５に、ｅとｆが同じ長さとなるような略正方形部を設ける。略正方形部の中心を支点として正面位置引出し部５が回転するように、正面位置引出し部の折り畳み部７を設ける。図ではネジを表しているが、回転可能であればネジに限定する必要はない。図は正面位置引出し部５のｆと平行に設けたｈが測定部１に接した、正面位置引出し部５が折り畳まれた状態を示している。  この状態からｈを右方向に９０度回転させると、図は設けていないがｈがｇの、ｇがｆの、ｆがｅの位置へと右方向に９０度回転する。計測物の端を表す位置をｇの代わりにｈで表すことが出来る。【００５３】  正面位置引出し部５は、正面位置引出し部の折り畳み部７によって、測定部１に平行に接した状態に折り畳むことができるため、測定部収納部２に収納することができる。よって、コンパクトになり持ち運びがしやすくなる。【００５４】  背面位置引出し部６は、背面位置引出し部の折り畳み部８によって、測定部収納部２及び延長部３に平行に接した状態に折り畳むことができるため、コンパクトになり持ち運びがしやすくなる。【００５５】上記に加えて、正面位置引出し部５及び背面位置引出し部６が靴内に引っかからなくなるため、靴内のインソール計測をスムーズに行える。【００５６】  測定部１の数字１ａ、目盛１ｂの詳細について図２２〜２５を用いて説明する。正面位置引出し部５が折り畳まれて測定部１が測定部収納部２に収納されると、図２５に示す正面位置引出し部５のｅと測定部１との段差がストッパーとなり、図２２の測定線Ａ−Ａと基準線Ｂ−Ｂの位置が一致する。  基準線Ｂ−Ｂは寸法の基準位置であり、この位置に記載されている数字１ａの値が基準値となる。基準値は、図２５に示す正面位置引出し部５のｆ、図２２に示す測定部収納部２、延長部の折り畳み部４、延長部３の長さの合計である。なお図２４に示すように背面位置引出し部６のｂの長さは、延長部３の長さに含まれる。��２２及び２５では基準線Ｂ−Ｂ及び基準点から、数字１ａが１ｃｍ、目盛１ｂが１ｍｍ単位で記載されている。なお数字１ａ及び目盛１ｂの単位はこれらに限定する必要はない。  図２２は本発明の請求項６に係る発明を用いて靴内を計測した状態を説明する図である。段落番号００３２で説明したように把持部１ｃを指で軽く押さえながら、押し出すことにより、簡単に測定部１が靴先まで伸びる。この時の寸法Ｗ１を測定線Ａ−Ａの数字１ａ及び目盛１ｂにより計測する。【００５７】  段落番号００４７で図２１により正面位置引出し部５及び背面位置引出し部６を用い足長を計測する場合を説明している。図２３は本発明の請求項６に係る発明を用いて足長を計測した状態を説明する図であり、図２１のように計測した際は図２３に示すように、寸法Ｗ２を測定線Ａ−Ａの数字１ａ及び目盛１ｂにより計測する。
【符号の説明】
【００５８】    １    測定部    １ａ  数字    １ｂ  目盛    １ｃ  把持部    ２    測定部収納部    ２ａ  切欠き部    ３    延長部    ４    延長部の折り畳み部    ５    正面位置引出し部    ６    背面位置引出し部    ７    正面位置引出し部の折り畳み部    ８    背面位置引出し部の折り畳み部
【図１】
2014158648.tif 000003
【図２】
2014158648.tif 000004
【図３】
2014158648.tif 000005
【図４】
2014158648.tif 000006
【図５】
2014158648.tif 000007
【図６】
2014158648.tif 000008
【図７】
2014158648.tif 000009
【図８】
2014158648.tif 000010
【図９】
2014158648.tif 000011
【図１０】
2014158648.tif 000012
【図１１】
2014158648.tif 000013
【図１２】
2014158648.tif 000014
【図１３】
2014158648.tif 000015
【図１４】
2014158648.tif 000016
【図１５】
2014158648.tif 000017
【図１６】
2014158648.tif 000018
【図１７】
2014158648.tif 000019
【図１８】
2014158648.tif 000020
【図１９】
2014158648.tif 000021
【図２０】
2014158648.tif 000022
【図２１】
2014158648.tif 000023
【図２２】
2014158648.tif 000024
【図２３】
2014158648.tif 000025
【図２４】
2014158648.tif 000026
【図２５】
2014158648.tif 000027